(57)【特許請求の範囲】
【請求項１】
既設構造物の基礎を補強する工法であって、
既設構造物の基礎になっている複数本の既設の基礎杭から所定の１本以上の基礎杭を補強対象杭として選択し、既設構造物の直下の地盤に既設構造物の底面に沿って補強対象杭に達する横穴を掘削して、補強対象杭の上部を横穴内に露出させる工程と、
補強対象杭の周囲の地盤を横穴から下方に掘り進めて、補強対象杭より大径の拡径穴を掘削する工程と、
拡径穴と横穴内に露出する補強対象杭の上部周囲とにコンクリートを打設して、補強対象杭の周囲にコンクリートによる拡径補強部を構築する工程とを備え、
拡径穴を掘削する工程では、所定深さ掘削する度に掘削済みの拡径穴の部分の周面に板状の支保材を配置することを繰り返して、拡径穴の周面に上下多段に支保材を配置すると共に、所定の複数の段の支保材の配置時に、当該支保材と補強対象杭との間に放射状に複数の梁部材を介設することを特徴とする既設構造物の基礎補強工法。
【請求項２】
前記拡径補強部を構築した後、前記横穴にコンクリートを打設して、地中梁を構築する工程を備えることを特徴とする請求項１記載の既設構造物の基礎補強工法。
【発明の詳細な説明】
【技術分野】
【０００１】
本発明は、既設構造物の改修で構造物の重量が増大する場合等に必要になる基礎の補強に好適な既設構造物の基礎補強工法に関する。
【背景技術】
【０００２】
既設構造物の改修で構造物の重量が増大し、既設の杭基礎の鉛直支持力が改修後の構造物の重量に対し不足する場合には、基礎の補強が必要になる。このような基礎の補強工法として従来一般的に採用されているのは、既設構造物の周辺の地盤に増し杭を打ち込み、既設構造物の底部外周に増し杭の上端に載る張り出し部を構築して、基礎を拡大する工法である（例えば、特許文献１参照）。
【０００３】
この工法は、構造物の荷重を張り出し部を介して増し杭に伝達することにより、構造物の重量増加分を増し杭で支持させるものである。然し、新たに構築する張り出し部を介して増し杭に的確に荷重を伝達することは困難であり、既設の基礎杭に過大な荷重が作用してしまう虞があって、信頼性に欠ける。また、既設構造物の周辺に杭打ち機を搬入して増し杭の打ち込み作業を行う関係で、既設構造物の使用が制限される。
【特許文献１】特開２００５−２４０２９７号公報
【発明の開示】
【発明が解決しようとする課題】
【０００４】
本発明は、以上の点に鑑み、既設構造物の使用を制限することなく、構造物の重量増に確実に耐えられるように基礎を補強できるようにした既設構造物の基礎補強工法を提供することをその課題としている。
【課題を解決するための手段】
【０００５】
上記課題を解決するために、本発明は、既設構造物の基礎を補強する工法であって、既設構造物の基礎になっている複数本の既設の基礎杭から所定の１本以上の基礎杭を補強対象杭として選択し、既設構造物の直下の地盤に既設構造物の底面に沿って補強対象杭に達する横穴を掘削して、補強対象杭の上部を横穴内に露出させる工程と、補強対象杭の周囲の地盤を横穴から下方に掘り進めて、補強対象杭より大径の拡径穴を掘削する工程と、拡径穴と横穴内に露出する補強対象杭の上部周囲とにコンクリートを打設して、補強対象杭の周囲にコンクリートによる拡径補強部を構築する工程とを備え、拡径穴を掘削する工程では、所定深さ掘削する度に掘削済みの拡径穴の部分の周面に板状の支保材を配置することを繰り返して、拡径穴の周面に上下多段に支保材を配置すると共に、所定の複数の段の支保材の配置時に、当該支保材と補強対象杭との間に放射状に複数の梁部材を介設することを特徴とする。
【０００６】
本発明によれば、補強対象杭を拡径補強部で補強して、その鉛直支持力を高めることができる。そして、補強対象杭は既設の基礎杭から選択されるため、構造物の荷重の補強対象杭への伝達不良は生じず、補強対象杭で構造物の重量増加分が確実に支持される。従って、構造物の重量増に耐えられるように基礎を確実に補強できる。また、基礎補強の殆どの作業は既設構造物の底面下で行われるため、既設構造物を基礎補強工事中も支障なく使用できる。
【０００７】
ここで、拡径穴の掘削時には、補強対象杭が地盤による周囲からの支持を失う。然し、本発明では、拡径穴の周面に配置した支保材と補強対象杭との間に介設する梁部材により、補強対象杭が周囲から支持され、補強対象杭の座屈といった不具合は生じない。
【０００８】
更に、本発明によれば、拡径穴を補強対象杭の下端が打ち込まれている支持層まで掘り進めることにより、支持層を目視確認できる。従って、支持層が不均一で補強対象杭が支持層で十分に支持されていない場合には、支持力が高められるように適切な対策を講ずることができ、基礎補強の確実性が担保される。
【０００９】
また、本発明においては、拡径補強部を構築した後、横穴にコンクリートを打設して、地中梁を構築する工程を備えることが望ましい。これによれば、水平荷重に対する耐力が強化され、耐震性が向上する。
【発明を実施するための最良の形態】
【００１０】
図１（ａ）（ｂ）を参照して、１は地盤Ｆ１に打ち込まれた鋼管杭等の基礎杭、２は基礎杭１を基礎としてその上に建造された既設構造物を示している。尚、基礎杭１は等ピッチで複数本設けられており、その下端は岩盤等の支持層Ｆ２に打ち込まれている。以下、この既設構造物２の改修で構造物２の重量が増加する場合に行う基礎補強工法について説明する。
【００１１】
この基礎補強工法では、複数本の既設の基礎杭１から重量配分を考慮して１本以上の基礎杭１を補強対象杭１Ｈとして選択し、補強対象杭１Ｈを拡径して補強する。本実施形態では、図１（ｂ）の＃１〜＃９の９本の基礎杭１が補強対象杭１Ｈとして選択されている。
【００１２】
基礎の補強に際しては、先ず、基礎杭１の既設範囲の一方の側部に隣接させて、既設構造物２の底面２ａよりも深い立穴３を掘削する。次に、既設構造物２の直下の基礎杭１の既設範囲の地盤Ｆ１を既設構造物２の底面２ａから所定深さの部分に亘り立穴３からの薬液注入により硬化させる。
【００１３】
次に、図２（ａ）に示す如く、既設構造物２の直下の薬液注入で硬化された地盤Ｆ１に既設構造物２の底面２ａに沿って立穴３から＃１の補強対象杭１Ｈに達する第１の横穴４１を掘削し、＃１の補強対象杭１Ｈの上部を横穴４１内に露出させる。尚、横穴４１は、基礎杭１の実際の配列を目視確認できるように、＃２と＃３の補強対象杭１Ｈを含む複数の基礎杭１の脇を通るように掘削される。また、横穴４１に隣接する基礎杭１に土圧による偏荷重が作用しないように横穴４１の壁面に支保工（図示せず）を設置する。
【００１４】
次に、図２（ｂ）に示す如く、＃１の補強対象杭１Ｈの周囲の地盤Ｆ１を横穴４１から下方に掘り進めて、補強対象杭１Ｈより大径の拡径穴５を支持層Ｆ２に達するように掘削する。
【００１５】
拡径穴５の掘削工程では、所定深さ掘削する度に掘削済みの拡径穴５の部分の周面に板状の支保材６を配置することを繰り返す。これにより、拡径穴５の周面に支保材６が上下多段に配置される。そして、所定の複数の段の支保材６の配置時、例えば、上から数えて奇数段目の支保材６の配置時に、当該支保材６と補強対象杭１Ｈとの間に放射状に複数の梁部材７を介設している。
【００１６】
ここで、拡径穴５の掘削時には、補強対象杭１Ｈが地盤Ｆ１による周囲からの支持を失い、座屈しやすくなる。然し、本実施形態では、支保材６と補強対象杭１Ｈとの間に介設する梁部材７により補強対象杭１Ｈが周囲から支持されるため、補強対象杭１Ｈの座屈が防止される。
【００１７】
尚、本実施形態では、支保材６と補強対象杭１Ｈとの間に１段置きに梁部材７を介設しているが、補強対象杭１Ｈに作用している荷重が小さい場合には２段以上の間隔を存して梁部材７を介設することも可能であり、また、補強対象杭１Ｈへの作用荷重が大きい場合には、全ての段の支保材６と補強対象杭１Ｈとの間に梁部材７を介設しても良い。また、梁部材７としては一般に鋼材が用いられるが、伸縮自在な機械式ジャッキを梁部材７として用いることも可能である。
【００１８】
拡径穴５の掘削が完了したときは、支持層Ｆ２を目視確認する。そして、支持層Ｆ２が不均一で補強対象杭１Ｈが支持層Ｆ２で十分に支持されていない場合には、支持力が高められるように適切な対策を講ずる。また、補強対象杭１Ｈの状態を目視確認し、劣化が進行している場合等はその補修を行う。
【００１９】
次に、図２（ｃ）に示す如く、拡径穴５（図２（ｂ）参照）と横穴４１内に露出する補強対象杭１Ｈの上部周囲とにコンクリートを打設して、補強対象杭１Ｈの周囲にコンクリートによる拡径補強部８を構築する。尚、拡径補強部８の最上端部は、既設構造物２の底面との間にジャッキを入れて拡径補強部８にプレストレスを加え、この状態で既設構造物２の底面との間にコンクリートを打設することにより形成される。これにより、既設構造物２の荷重が確実に拡径補強部８に伝達される。
【００２０】
拡径補強部８の構築が完了すると、横穴４１に＃１の補強対象杭１Ｈの部分から＃２の補強対象杭１Ｈの手前の部分に亘りコンクリートを打設する。その後、横穴４１を＃２の補強対象杭１Ｈ側に掘り進めて、＃２の補強対象杭１Ｈ用の枝穴４ａ（図２（ａ）参照）を掘削し、この枝穴４ａ内に＃２の補強対象杭１Ｈの上部を露出させる。そして、上記と同様の手順で＃２の補強対象杭１Ｈに対する拡径穴の掘削と拡径補強部８の構築とを行う。次に、横穴４１に＃２の補強対象杭１Ｈの部分から＃３の補強対象杭１Ｈの手前の部分に亘りコンクリートを打設した後、横穴４１を＃３の補強対象杭１Ｈ側に掘り進めて、＃３の補強対象杭１Ｈ用の枝穴４ｂ（図２（ａ）参照）を掘削し、この枝穴４ｂ内に＃３の補強対象杭１Ｈの上部を露出させる。そして、上記と同様の手順で＃３の補強対象杭１Ｈに対する拡径穴の掘削と拡径補強部８の構築とを行う。その後、横穴４１に＃３の補強対象杭１Ｈの部分から立穴３側の入口部分に亘りコンクリートを打設する。これにより、＃１の補強対象杭１Ｈの拡径補強部８と＃２の補強対象杭１Ｈの拡径補強部８と＃３の補強対象杭１Ｈの拡径補強部８とを連結する地中梁９１（図２（ｄ）参照）が構築される。
【００２１】
次に、既設構造物２の直下の地盤Ｆ１に既設構造物２の底面２ａに沿って立穴３から＃６の補強対象杭１Ｈの脇と＃５の補強対象杭１Ｈの脇とを通って＃４の補強対象杭１Ｈに達する第２の横穴４２（図２（ａ）参照）掘削する。そして、上記と同様の手順で＃４の補強対象杭１Ｈに対する拡径穴の掘削及び拡径補強部８の構築と、横穴４２の＃４の補強対象杭１Ｈの部分から＃５の補強対象杭１Ｈの手前部分までのコンクリートの打設と、＃５の補強対象杭１Ｈの上部を露出させる枝穴４ｃの掘削と、＃５の補強対象杭１Ｈに対する拡径穴の掘削及び拡径補強部８の構築と、横穴４２の＃５の補強対象杭１Ｈの部分から＃６の補強対象杭１Ｈの手前部分までのコンクリートの打設と、＃６の補強対象杭１Ｈの上部を露出させる枝穴４ｄの掘削と、＃６の補強対象杭１Ｈに対する拡径穴の掘削及び拡径補強部８の構築と、横穴４２の＃６の補強対象杭１Ｈの部分から入口部分までのコンクリートの打設とを順に行う。これにより、＃４の補強対象杭１Ｈの拡径補強部８と＃５の補強対象杭１Ｈの拡径補強部８と＃６の補強対象杭１Ｈの拡径補強部８とを連結する地中梁１０２（図２（ｄ）参照）が構築される。
【００２２】
次に、既設構造物２の直下の地盤Ｆ１に既設構造物２の底面２ａに沿って立穴３から＃９の補強対象杭１Ｈの脇と＃８の補強対象杭１Ｈの脇とを通って＃７の補強対象杭１Ｈに達する第３の横穴４３（図２（ａ）参照）掘削する。そして、上記と同様の手順で＃７の補強対象杭１Ｈに対する拡径穴の掘削及び拡径補強部８の構築と、横穴４３の＃７の補強対象杭１Ｈの部分から＃８の補強対象杭１Ｈの手前部分までのコンクリートの打設と、＃８の補強対象杭１Ｈの上部を露出させる枝穴４ｅの掘削と、＃８の補強対象杭１Ｈに対する拡径穴の掘削及び拡径補強部８の構築と、横穴４３の＃８の補強対象杭１Ｈの部分から＃９の補強対象杭１Ｈの手前部分までのコンクリートの打設と、＃９の補強対象杭１Ｈの上部を露出させる枝穴４ｆの掘削と、＃９の補強対象杭１Ｈに対する拡径穴の掘削及び拡径補強部８の構築と、横穴４３の＃９の補強対象杭１Ｈの部分から入口部分までのコンクリートの打設とを順に行う。これにより、＃７の補強対象杭１Ｈの拡径補強部８と＃８の補強対象杭１Ｈの拡径補強部８と＃９の補強対象杭１Ｈの拡径補強部８とを連結する地中梁９３（図２（ｄ）参照）が構築される。最後に立穴３を埋め戻して、基礎補強工事を完了する。
【００２３】
上述した基礎補強工法によれば、補強対象杭１Ｈを拡径補強部８で補強して、その鉛直支持力を高めることができる。そして、補強対象杭１Ｈは既設の基礎杭１から選択されるため、構造物２の荷重の補強対象杭１Ｈへの伝達不良は生じず、補強対象杭１Ｈで構造物２の重量増過分が確実に支持される。従って、構造物２の重量増に耐えられるように基礎を確実に補強できる。更に、各地中梁９１，９２，９３により各複数本の補強対象杭１Ｈが連結されるため、水平荷重を地中梁９１，９２，９３を介してこれら補強対象杭１Ｈに良好に負担させることができる。その結果、水平荷重に対する耐力が強化され、耐震性が向上する。また、基礎補強の殆どの作業は既設構造物２の底面下で行われるため、既設構造物２を基礎補強工事中も支障なく使用できる。
【図面の簡単な説明】
【００２４】
【図１】（ａ）既設構造物の基礎部分の縦断面図、（ｂ）既設構造物の基礎部分の切断平面図。
【図２】本発明の実施形態の基礎補強工法の工程を示す説明図。
【符号の説明】
【００２５】
Ｆ１…地盤、１…基礎杭、１Ｈ…補強対象杭、２…既設構造物、２ａ…既設構造物の底面、４１，４２，４３…横穴、５…拡径穴、６…支保材、７…梁部材、８…拡径補強部、９１，９２，９３…地中梁。
【図１】
0004993132.tif 000002
【図２】
0004993132.tif 000003